(57)【特許請求の範囲】
【請求項１】
理美容作業の際に肩に掛けられる理美容用肩掛カバーであって、
長方形状に形成された本体部と、
前記本体部に設けられた孔部であって、前記本体部の一の長辺の両端部のうち少なくとも一方の端部側に設けられ、前記本体部の他方の端部を挿入可能な孔部と、
前記本体部の縁部のうち、少なくとも前記一の長辺の縁部に沿って形成された伸縮部と
を有し、
前記伸縮部は、
前記本体部の縁部の全体に沿って形成されていることを特徴とする理美容用肩掛カバー。
【請求項２】
請求項１に記載の理美容用肩掛カバーにおいて、
前記伸縮部は、伸縮性を有する布をパイプ状に丸め、この丸めた布を前記本体部の縁部に沿って取り付けることにより形成されていることを特徴とする理美容用肩掛カバー。
【請求項３】
請求項１又は請求項２に記載の理美容用肩掛カバーにおいて、
前記本体部の一の長辺の中央部分に、弓形状に凹んだ首周部を有することを特徴とする理美容用肩掛カバー。
【請求項４】
請求項１〜３のいずれか一項に記載の理美容用肩掛カバーにおいて、
前記本体部の他の長辺の全体が、中央部分が突出した弓形状に形成されていることを特徴とする理美容用肩掛カバー。
【請求項５】
請求項１〜４のいずれか一項に記載の理美容用肩掛カバーにおいて、
人の手の複数の指が挿入可能な複数の挿入部分を有する２つの指挿入部であって、
前記本体部の各短辺に向かって人の各手の前記各指が前記各挿入部分に挿入されたとき
に、前記本体部の各短辺から人の各手の前記各指がはみ出さない各位置に設けられた２つの指挿入部を備えることを特徴とする理美容用肩掛カバー。
【請求項６】
請求項１〜５のいずれか一項に記載の理美容用肩掛カバーにおいて、
前記一の長辺の端部の少なくとも一方の端部に、リング形状に形成されたリング部を備えることを特徴とする理美容用肩掛カバー。
【請求項７】
請求項１〜６のいずれか一項に記載の理美容用肩掛カバーにおいて、
前記本体部の他の長辺の中央部分に近接した位置に、開口部が設けられていることを特徴とする理美容用肩掛カバー。
【請求項８】
請求項１〜７のいずれか１項に記載の理美容用肩掛カバーにおいて、
前記本体部は、タオル用素材で構成されていることを特徴とする理美容用肩掛カバー。
【請求項９】
請求項１〜７のいずれか１項に記載の理美容用肩掛カバーにおいて、
前記本体部は、防水性材料で形成されていることを特徴とする理美容用肩掛カバー。
【請求項１０】
請求項１〜９のいずれか一項に記載の理美容用肩掛カバーにおいて、
前記本体部は、伸縮性を有する材料で形成されていることを特徴とする理美容用肩掛カバー。
【発明の詳細な説明】
【技術分野】
【０００１】
本発明は、髪染めやパーマの際に垂れ落ちる薬液による人体、衣服等の汚れを防止する理美容用肩掛カバーに関する。
【背景技術】
【０００２】
美容院や理容店で髪染めやパーマが行われる場合、薬液が垂れ落ちることがある。そのため、この薬液がお客様の被服や身体にかからないようにする目的で、長方形状のカバーがお客様の首周りに巻きつけられつつ肩に掛けられる。
【０００３】
このとき、カバーの２つの長辺のうち一辺を首の後に当て、カバーを肩に掛けた後、その一辺のそれぞれの端部を胸元で合わせ、クリップで止めて肩からずり落ちないようにしている。
【発明の概要】
【発明が解決しようとする課題】
【０００４】
しかし、上述したカバーを用いるには、クリップ等を別途用意せねばならず、作業効率が悪かった。
また、髪染剤を塗布した後は、髪染剤の定着を促進するため、肩に掛けていたカバーを使用して、ターバンを巻くようにして頭部全体を覆うことがあるが、上述した従来のカバーは、緩んで頭から落ちてしまいやすいという欠点があった。
【０００５】
そこで、本発明は、髪染めなどの作業効率をよくすることができ、しかも、頭に巻いても落ちにくい理美容用肩掛カバーを提供することを目的とする。
【課題を解決するための手段】
【０００６】
この目的を達成するためになされた発明である請求項１に記載の理美容用肩掛カバーは、理美容作業の際に肩に掛けられる理美容用肩掛カバーであって、長方形状に形成された本体部と、前記本体部に設けられた孔部であって、前記本体部の一の長辺の両端部のうち少なくとも一方の端部側に設けられ、前記本体部の他方の端部を挿入可能な孔部と、前記本体部の縁部のうち、少なくとも前記一の長辺の縁部に沿って形成された伸縮部とを有することを特徴とする。
【０００７】
この理美容用肩掛カバーは、本体部の一方の端部に孔部を有することにより、本体部のうち、上述の一の長辺であって、孔部が設けられた側の長辺側をお客様の首にあてて、そのこの理美容用肩掛カバーをお客様の首周りに取り付けるとき、本体部の他方の端部を筒状に丸めてその孔部に差し込めば止めることができる。
【０００８】
また、理美容用肩掛カバーは、上述の一の長辺であって、孔部が設けられた側の長辺には、その縁部に沿って伸縮部が形成されているので、頭に巻いたときにこの伸縮部が縮んで頭に固定される。
【０００９】
したがって、本発明の理美容用肩掛カバーを用いると、クリップ等を用いなくても止めることができるので、髪染めなどの作業効率をよくすることができ、しかも、本発明の理美容用肩掛カバーは、頭に巻いても落ちにくい。
【００１０】
尚、本体部は、その形状が、長方形でもよいことはもちろん、長方形に類する形状、すなわち、肩掛けに適する形状であって、一方向の長さに対してこれに垂直な他方向の長さが短い形状であればどのような形状でもよく、例えば、全体に弓形に曲がっていてもよいし、その用途にあわせて変形を加えたものであってもよい。
【００１１】
請求項２に記載したように、伸縮部は、本体部の縁部の全体に沿って形成されていてもよい。伸縮部は、上述の一の長辺以外の部分に対してはどのように設けても良い。
尚、請求項３に記載したように、伸縮部は、伸縮性を有する布をパイプ状に丸め、この丸めた布を本体部の縁部に沿って取り付けて形成してもよいし、本体部の縁部に形成されたゴム通しに通したゴム紐により形成してもよいし、ゴム紐等を本体部に編みつけてもよい。
【００１２】
次に、請求項４に記載したように、理美容用肩掛カバーは、本体部の一の長辺の中央部
分に、弓形状に凹んだ首周部を有する形状に形成されているとよい。このようにすると、首周部をお客様の首に当てて理美容用肩掛カバーをお客様の首周りに巻けば、理美容用肩掛カバーをお客様の首周りに隙無く巻き付けることができる。
【００１３】
次に、請求項５に記載したように、本体部の他の長辺（端部に孔部が設けられていない側の長辺）の全体が、中央部分が突出した弓形状に形成されているとよい。
このようにすると、長方形の角の部分（弓の両端部分の角部）が取れた形状となるので、理美容用肩掛カバーが大きくなりすぎず、取り扱いに便利だからである。
【００１４】
次に、請求項６に記載したように、本発明の理美容用肩掛カバーは、本体部の両短辺からみて、これら両短辺の側に向かってそれぞれの手の複数の指を挿入したときに当該理美容用肩掛カバーから指がはみ出さない位置に設けられた指挿入部を備えるとよい。このようにすると、例えば、お客様の濡れた髪を拭くときに、この指挿入部５に指を挿入し、その状態で両手を広げて理美容用肩掛カバー１を広げ、両手を理美容用肩掛カバー１越しにお客様の頭に当てれば、理美容用肩掛カバー１を用いてお客様の頭を包むようにして、お客様の髪を拭くことができる。
【００１５】
次に、請求項７に記載したように、一の長辺の端部の少なくとも一方の端部に、リング形状に形成されたリング部を備えるようにしてもよい。このようにすると、孔部にリング部を挿入し、リング部にカーラー等を挿入すれば、リング部を孔部に止めた状態で理美容用肩掛カバーを固定することができる。
【００１６】
次に、請求項８に記載したように、本体部の他の長辺の中央部分に近接した位置に、開口部を設けてもよい。このようにすると、例えば、開口部に前述のリング部を挿入し、リング部にカーラー等を挿入すれば、リング部を開口部に止めた状態で理美容用肩掛カバーを固定することができる。
【００１７】
次に、請求項９に記載したように、本体部は、用途によって、髪染剤等の液体を吸収するため、タオル用素材で構成されていてもよく、また、請求項１０に記載したように、用途によって、ビニール製の素材など髪染剤等の液体を吸収しない防水性材料で構成されていてもよい。
【００１８】
また、請求項１１に記載したように、本体部は、伸縮性を有する材料で形成されていてもよい。
【図面の簡単な説明】
【００１９】
【図１】本実施形態の理美容用肩掛カバーの（ａ）正面図及び（ｂ）裏面図である。
【図２】本実施形態の理美容用肩掛カバーを肩掛けした様子を示す正面図である。
【図３】本実施形態の理美容用肩掛カバーを肩掛けした様子を示す背面図である。
【図４】本実施形態の理美容用肩掛カバーを肩掛けし、その上からケープを取り付けた様子を示す背面図である。
【図５】本実施形態の理美容用肩掛カバーお客様の頭に巻く様子を示す図である。
【図６】本実施形態の理美容用肩掛カバーお客様の頭に巻く様子を示す図である。
【図７】本実施形態の理美容用肩掛カバーお客様の頭に巻く様子を示す図である。
【図８】お客様の顔側への液体の漏れを防止しつつ、背後からの作業を可能とする理美容用肩掛カバーの巻き方について説明する説明図である。
【図９】お客様の顔側への液体の漏れを防止しつつ、背後からの作業を可能とする理美容用肩掛カバーの巻き方について説明する説明図である。
【図１０】お客様の顔側への液体の漏れを防止しつつ、背後からの作業を可能とする理美容用肩掛カバーの巻き方について説明する説明図である。
【図１１】本実施形態の理美容用肩掛カバーを用いて、お客様の頭部を拭く様子を示す左斜側面図である。
【図１２】本実施形態の理美容用肩掛カバーを用いて、お客様の頭部を拭く様子を示す正面図である。
【図１３】本実施形態の理美容用肩掛カバーを用いて、お客様自信が頭部を拭く様子を示す正面図である。
【図１４】本実施形態の理美容用肩掛カバーに備えられた指挿入部５の用い方の他の例を示す正面図である。
【図１５】本実施形態の理美容用肩掛カバーを用いてターバン巻きをする様子を示す正面図である。
【図１６】本実施形態の理美容用肩掛カバーを用いてターバン巻きをする様子を示す正面図である。
【図１７】本実施形態の理美容用肩掛カバーを用いてターバン巻きをする様子を示す正面図である。
【図１８】本実施形態の理美容用肩掛カバーを用いてターバン巻きをする様子を示す正面図である。
【図１９】本実施形態の理美容用肩掛カバーを用いてターバン巻きをする様子を示す正面図である。
【図２０】本実施形態の理美容用肩掛カバーを腰巻きとして理容した様子を示す説明図である。
【図２１】理美容用肩掛カバーの変形例の正面図である。
【発明を実施するための形態】
【００２０】
以下に本発明の実施形態について図面を参照しながら説明する。
本実施形態の理美容用肩掛カバー１は、図１に示すように、本体部１ａがタオル用の伸縮性のある素材で構成され、全体に長方形状に形成されている。
【００２１】
本体部１ａは、長手方向の中央部分が、その他の部分に比べて薄いタオル用素材で構成されている。
この理美容用肩掛カバー１は、基本的に、図２に示すように、理美容作業の際に肩に掛けて用いられるものである。
【００２２】
この理美容用肩掛カバー１は、図１に示すように、本体部１ａを象る一の長辺１０の両端部に孔部２が設けられている。
この孔部２は、これら孔部２が設けられている角部を二等分する角度で切目を入れ、角部寄りの部分を縫い合わさせて形成されている。
【００２３】
他方の端部を筒状に丸めて、その他方の端部に形成された孔部２が設けられた部分を少なくとも挿入することが可能な大きさに形成されている。
この本体部１ａの縁部の全体には、パイプ形状にした伸縮性を有する布を取り付けるいわゆるパイピングが施されている。この本体部１ａの縁部に施されたパイピングは、以下、伸縮部３という。
【００２４】
この伸縮部３は、伸縮性を有する長尺な布を、その長手方向に沿った軸周りに丸めるとともに、長手方向に沿った両辺をその丸めた布の内側に位置するようにし、その両辺の外側面を本体部１ａに当て、本体部１ａの縁部を挟むようにして、その両辺を本体部１ａに縫い付けることによって形成される。
【００２５】
尚、伸縮部３は、パイプ状に形成されたゴム通しを本体部１ａの縁部に設け、このゴム通しの中にゴム紐を通して構成してもよい。ゴム通しを設けるとき、伸縮性の布を縫い付
ける場合と同様に、長尺状の布を本体部１ａの縁部に縫い付けてもよいし、単に円筒形状を作って、その円筒形状に形成された布を本体部１ａに縫い付けてもよい。この点は、特に限定されるものではない。
【００２６】
この理美容用肩掛カバー１は、一の長辺１０の中央部分に、弓形状に凹んだ首周部４が形成され、一方、他の長辺１１は、その全体が、中央部分が突出した弓形状に形成されている。
【００２７】
また、この理美容用肩掛カバー１の裏面には、図１（ｂ）に示すように、各短辺１２，１３に向かって各手の指を挿入したときに理美容用肩掛カバー１から指がはみ出さない位置に指挿入部５が設けられている。
【００２８】
この指挿入部５は、本体部１ａの短辺１２，１３に沿って平面紐状の紐部を一定間隔毎に本体部１ａに縫うことによって本体部１ａに取り付けられている。
この指挿入部５を構成する紐部は、各縫い付けを行った部分の間に指を挿入することができる余裕を持たせて、一定間隔毎に本体部１ａに縫い付けられる。
【００２９】
この理美容用肩掛カバー１は、本体部１ａの一の長辺１０の両端部に、リング形状に形成されたリング部６を備えている。このリング部６は、一定の幅のある紐の一端を本体部１ａの端部に縫い付けてリングを作り、さらに、その紐の他端を本体部１ａの端部に縫い付けて形成している。
【００３０】
また、理美容用肩掛カバー１は、他の長辺１１の中央部分に近接した位置に、開口部７が設けられている。この開口部７は、孔部２とほぼ同じ大きさの孔部であるが、長辺１１の長手方向に沿って切目を入れることによって形成されている。
【００３１】
以上のように構成された本実施形態の理美容用肩掛カバー１は、以下のような特徴的な作用効果を有する。
本実施形態の理美容用肩掛カバー１は、長辺１０の端部に孔部２を有することにより、この理美容用肩掛カバー１をお客様の首周りに取り付けるとき、長辺１０の他方の端部を筒状に丸めて、一方の端部に設けられた孔部２に差し込めば止めることができる（図２参照）。
【００３２】
また、本実施形態の理美容用肩掛カバー１は、縁部に沿って伸縮部３が形成されているので、頭に巻いたときに、この伸縮部３が縮んで理美容用肩掛カバー１を頭に固定することができる。
【００３３】
したがって、本実施形態の理美容用肩掛カバー１を用いると、クリップ等を用いなくても止めることができるので、髪染めなどの作業効率をよくすることができ、しかも、頭に巻いても落ちにくい。
【００３４】
また、この理美容用肩掛カバー１は、一の長辺１０の中央部分に、弓形状凹んだ首周部を有する形状に形成されているので、首周部４をお客様の首に当ててお客様の首周りに取り付ければ、この理美容用肩掛カバー１をお客様の首周りに隙無く取り付けることができる。
【００３５】
また、この理美容用肩掛カバー１は、他の長辺１１の全体が、中央部分が突出した弓形状に形成されているので、理美容用肩掛カバー１が大きくなりすぎず、取り扱いくて便利である。
【００３６】
また、理美容用肩掛カバー１は、指挿入部５を備えることによって、例えば、お客様の濡れた髪を拭くときに、この指挿入部５に指を挿入し、その状態で両手を広げて理美容用肩掛カバー１を広げ、両手を理美容用肩掛カバー１越しにお客様の頭に当てれば、理美容用肩掛カバー１を用いてお客様の頭を包むようにして、お客様の髪を拭くことができる。
【００３７】
また、理美容用肩掛カバー１は、一の長辺１０の端部に、リング形状に形成されたリング部６を備えているので、孔部２にリング部６を挿入し、リング部６にカーラー等を挿入すれば、リング部６を孔部２に止めた状態で理美容用肩掛カバー１を固定することができる。
【００３８】
また、理美容用肩掛カバー１は、他の長辺１１の中央部分に近接した位置に、開口部７を備えているので、例えば、リング部６を備えていない端部の孔部２にリング部６を通した後、開口部７にリング部６を挿入し、リング部６にカーラー等を挿入すれば、リング部６を開口部７に止めた状態で理美容用肩掛カバー１を固定することができる。
【００３９】
以上説明した理美容用肩掛カバー１の使い方について、以下説明する。
（１）図２及び図３は、本実施形態の理美容用肩掛カバー１を肩掛けした様子を示しており、首周部４をお客様の首に当て、理美容用肩掛カバー１をお客様の首周りにまくとともに、長辺１０の他方の端部を筒状に丸めて、一方の端部に設けられた孔部２に差し込んで止めている。
【００４０】
このようにすると、図４に示すように、散髪用のケープを理美容用肩掛カバー１の上からさらに被せた場合、首周りを理美容用肩掛カバー１がしっかりと閉じているので、散髪を行っても、切った髪がお客様の衣服の中に入ることを抑制することができる。
【００４１】
（２）図５〜７は、図２の肩掛け状態からいわゆる頭に巻き付けた状態とする様子を示しており、まず、図５に示すように、長辺１０の他方の端部を筒状に丸めて、一方の端部の孔部２に差し込んだ部分がお客様の額の上部にあたるように持ち上げる。
【００４２】
次に、図６に示すように、理美容用肩掛カバー１のうち図の左側（お客様の右側）の部分をお客様の頭に被せ、さらに、図７に示すように、理美容用肩掛カバー１のうち図の右側（お客様の左側）の部分をお客様の頭に被せれば、理美容用肩掛カバー１が頭に巻き付いた状態となる。
【００４３】
このとき、本実施形態の理美容用肩掛カバー１は、伸縮部３を備えているので、理美容用肩掛カバー１の縁部に沿ってお客様の頭が締め付けられる。そのため、髪染作業をしたときに、髪染用の液体がお客様の顔に垂れることが防止される。
【００４４】
（３）図８〜１０は、お客様の顔側への液体の漏れを防止しつつ、背後からの作業を可能とする理美容用肩掛カバー１の巻き方について説明する説明図である。
この場合、まず、理美容用肩掛カバー１の首周部４を首の背面に長辺１０を髪の生え際に沿って当てて、額の中央部分まで当てたら、リング部６が取り付けられている理美容用肩掛カバー１の端部を、他方の端部に設けら得た孔部２に通し、図８に示すように、リング部６を引っ張り上げる。
【００４５】
次に、図９に示すように、そのリング部６を開口部７に通し、さらに、図１０に示すように、リング部６にパーマ用のロッドを通す。
すると、図１０にあるように、お客様の背面側に向けて大きな開口があき、また、お客様の生え際に沿って伸縮部３が当てられ、ロッドに引っ張られてお客様の顔を締め付けるので、頭髪に各種液体状の薬剤を付けても、その薬剤がお客様の顔にかかることがない。
【００４６】
（４）図１１〜図１２は、理美容用肩掛カバー１を用いて、お客様の頭部を拭く様子を示したものである。
本実施形態の理美容用肩掛カバー１は、一組の指挿入部５を備えているので、図１１に示すように、これら指挿入部５に左右の手の各指を挿入する。
【００４７】
そして、図１２に示すように、指挿入部５に指を挿入した状態で両手を広げて理美容用肩掛カバー１を広げ、両手を理美容用肩掛カバー１越しにお客様の頭に当てれば、理美容用肩掛カバー１を用いてお客様の頭を包むようにして、お客様の髪を拭くことができる。
【００４８】
尚、この指挿入部５を用いると、例えば、図１３に示すように、お客様自身がこの指挿入部５に指を挿入することで、ご自身の頭を拭くこともでき、その際、理美容用肩掛カバー１を落とすことがない。
【００４９】
また、この指挿入部５は、例えば、図１４に示すように、理容・美容で用いる各種道具を一時的に保持するものとしても理容できる。
（５）図１５〜図１９は、理美容用肩掛カバー１を用いてお客様ご自身がいわゆるターバン巻きを行う様子を示している。
【００５０】
この場合、図１５に示すように、孔部２にお客様の指を通して首周部４がお客様の首の背後にあたるようにして広げる。
次に、図１６に示すように、首周部４がお客様の首にあたった状態を保ちながら、右手を頭部前方から巻いて頭部の左側に移動させます。このとき長辺１０の伸縮部３が髪の毛の生え際に沿ってあたるようにする。
【００５１】
次に、図１７に示すように、首周部４がお客様の首にあたった状態を保ちながら、左手を頭部前方から巻いて頭部の右側に移動させます。このときも長辺１０の伸縮部３が髪の毛の生え際に沿ってあたるようにする。
【００５２】
次に、図１８に示すように、頭部の前方で理美容用肩掛カバー１が重なっている部分を抑えます。
そして、図１９に示すように、頭部の左右の側面に垂れ下がっている部分を、その端をつかみながら頭の上に上げれば、図２０に示すようなターバン巻きの完成です。
【００５３】
（６）尚、理美容用肩掛カバー１の他の用途としては、図２０に示すように、理美容用肩掛カバー１を腰に巻き、リング部６を孔部２に挿入すれば、理美容用肩掛カバー１を巻いた状態で固定できるので、腰巻きとして理容してもよい。
［他の実施形態］
以上、実施形態について説明したが、特許請求の範囲に記載された発明は、上記実施形態に限定されることなく、種々の形態を採り得ることは言うまでもない。
【００５４】
（１）上記実施形態で説明した理美容用肩掛カバー１はあくまでも一例であり、これに限定されるものではない。
（２）上記実施形態では、本体部１ａをタオル素材で構成したが、防水性材料、例えばビニール等で構成されていてもよい。この場合、例えば、市販の髪染剤に添付するなどすれば、家庭で髪染剤が垂れ下がるのを防止しつつ髪染を行うことができる。
【００５５】
（３）上記実施形態では、開口部７について、長辺１１の長手方向に沿って切目を入れることによって形成したが、その他に、切目を形成した場所に、一定の幅のある紐の両端部を本体部１ａに縫い付け、この紐と本体部１ａとの間に形成される空間を開口部７とし
てもよい。
【００５６】
また、図２１に示すように、本体部１ａの他の長辺１１の長手方向の中央部分の外側に開口部７を形成するように、一定の幅のある紐７ａの両端部をその中央部分から等距離の位置で本体部１ａに縫い付けてもよい。
【００５７】
（４）上記実施形態の理美容用肩掛カバー１では、孔部２が設けられる側の長辺以外にも伸縮部３を設けているが、この孔部２が設けられる側の一の長辺にのみ、伸縮部３を設けてもよい。
【００５８】
また、伸縮部３は、上述の一の長辺以外の部分に対してはどのように設けても良い。例えば、上述の一の長辺とに加え、両短辺とに設けてもよいし、短辺の一部に設けてもよい。
【符号の説明】
【００５９】
１… 理美容用肩掛カバー  １ａ… 本体部  ２… 孔部  ３… 伸縮部  ４… 首周部
５… 指挿入部  ６… リング部  ７… 開口部
【図１】
0006348814.tif 000002
【図２】
0006348814.tif 000003
【図３】
0006348814.tif 000004
【図４】
0006348814.tif 000005
【図５】
0006348814.tif 000006
【図６】
0006348814.tif 000007
【図７】
0006348814.tif 000008
【図８】
0006348814.tif 000009
【図９】
0006348814.tif 000010
【図１０】
0006348814.tif 000011
【図１１】
0006348814.tif 000012
【図１２】
0006348814.tif 000013
【図１３】
0006348814.tif 000014
【図１４】
0006348814.tif 000015
【図１５】
0006348814.tif 000016
【図１６】
0006348814.tif 000017
【図１７】
0006348814.tif 000018
【図１８】
0006348814.tif 000019
【図１９】
0006348814.tif 000020
【図２０】
0006348814.tif 000021
【図２１】
0006348814.tif 000022